(57)【要約】セルラー無線通信ネットワークにおける移動局の自動化ハンドオフに使用されるヒステリシス値を最適にする方法である。この方法はセル内の移動局から得られた信号強度の測定値を利用し、これら測定値に基づき、中間ポイントアルゴリズムが出ハンドオフおよび入ハンドオフのための可能な最良のヒステリシス値を計算する。
2005529567.tif 000002
【特許請求の範囲】
【請求項１】
セルラー通信ネットワークにおいて現在のセルと隣接セルとの間のハンドオフの境界を最適にするための方法であって、
現在のセルから隣接セルにハンドオフを実行する前に現在のセルからの信号強度よりもヒステリシス値だけ強力な隣接セルからの信号を移動局（ＭＳ）が受信することを保証するのに使用される、現在のヒステリシス値を決定する工程と、
各ＳＳ測定値のペアがハンドオフ前の現在のセルからのＳＳ測定値とハンドオフ後の隣接セルからのＳＳ測定値とを含む、ハンドオフ境界の近くで運用される複数のＭＳからの信号強度（ＳＳ）測定値のペアを収集する工程と、
現在のセルからの平均ＳＳ測定値と、隣接セルからの平均ＳＳ測定値と、現在のセルからの平均ＳＳ測定値および隣接セルからの平均ＳＳ測定値の全平均値とを測定することにより、中間ポイントＳＳを計算する工程と、
中間ＳＳと現在のセルからの平均ＳＳ測定値との間の差にほぼ等しい値を、現在のヒステリシス値から減算することによってハンドオフ境界を最適にする工程とを備えた、セルラー通信ネットワークにおいてハンドオフの境界を最適にする方法。
【請求項２】
より多数のＭＳからのＳＳ測定値を利用して、請求項１の工程を繰り返すことを更に含む、請求項１記載の、ハンドオフの境界を最適にする方法。
【請求項３】
セルラー通信ネットワークにおいて、ハンドオフ境界にて現在のセルから隣接セルへの移動局のハンドオフを制御するために利用される出ヒステリシス値を最適にする方法において、
現在の出ヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局のからの、移動局によって受信される信号の第１のＳＳ測定値とハンドオフの後で隣接セルにサービスする第２の基地局からの、移動局によって受信される信号の第２のＳＳ測定値とを含み、更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ＳＳから誤差をまるめることに起因するファクタを減算することにより、ハンドオフ後のハンドオフ境界の現在のセル側での予想信号強度（ＥＰ）を計算する工程と、
ＥＰとＣＰとの差を現在の出ヒステリシス値から減算することにより、現在のセルから隣接セルへの出ハンドオフに対する推奨ヒステリシス値を計算する工程とを備えた、出ヒステリシス値を最適にする方法。
【請求項４】
現在のセル内のＭＳからの最新のＳＳ測定値を利用し、請求項１記載の工程を繰り返すことにより、出ヒステリシス値を更新することを更に含む、請求項３記載の出ヒステリシス値を最適にする方法。
【請求項５】
現在のセル内で運用中のすべてのＭＳからのＳＳ測定値を利用し、請求項１の工程を繰り返すことにより、出ヒステリシス値を微調節することを更に含む、請求項３記載の出ヒステリシス値を最適にする方法。
【請求項６】
推奨ヒステリシス値がデフォルトヒステリシス値以下であるかどうかを判断する工程と、
推奨ヒステリシス値がデフォルトヒステリシス値以下であると判断された場合に、ハンドオフを制御するのに前記デフォルトヒステリシス値を利用する工程を更に含む、請求項３記載の、出ヒステリシス値を最適にする方法。
【請求項７】
現在のセルに対するＳＳのほうが微弱信号強度に対する所定スレッショルドよりも低く、他方、隣接セルに対するＳＳのほうが強力信号強度に対する所定スレッショルドよりも高いかどうかを判断する工程と、
現在のセルに対するＳＳのほうが微弱ＳＳスレッショルドよりも低く、隣接セルに対するＳＳのほうが強力ＳＳスレッショルドよりも高いと判断されたときに、計算された中間ポイントＳＳに基づき、現在のヒステリシス値を調節する工程を更に含む、請求項３記載の、出ヒステリシス値を最適にする方法。
【請求項８】
現在のセルに対するＳＳのほうが微弱ＳＳスレッショルドよりも高いか、または隣接セルに対するＳＳのほうが強力ＳＳスレッショルドよりも低いと判断されたときに、特定されたＳＳに基づき、現在のヒステリシス値を調節することを更に含む、請求項７記載の、出ヒステリシス値を最適にする方法。
【請求項９】
セルラー通信ネットワークにおいて、ハンドオフ境界にて現在のセルから隣接セルへの移動局のハンドオフを制御するために利用される入ヒステリシス値を最適にする方法において、
現在の入ヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局からの、移動局によって受信される信号の第１のＳＳ測定値とハンドオフの後で隣接セルにサービスする第２の基地局からの、移動局によって受信される信号の第２のＳＳ測定値とを含み、
更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ＳＳに誤差をまるめることに起因するファクタを加算し、ＭＳの出力パワーのステップサイズのファクターを加算することによりハンドオフ後のハンドオフ境界の隣接セル側での予想信号強度（ＥＮ）を計算する工程と、
ＥＰとＣＰとの差を現在の入ヒステリシス値から減算することにより、現在のセルから隣接セルへの入ハンドオフに対する推奨ヒステリシス値を計算する工程とを備えた、入ヒステリシス値を最適にする方法。
【請求項１０】
セルラー通信ネットワークにおいて、ハンドオフ境界における現在のセルと隣接セルとの間でいつ移動局をハンドオフするかを制御するのに利用される、出ヒステリシス値および入ヒステリシス値を最適にする方法において、
現在の出ヒステリシス値を決定する工程と、
現在の入ヒステリシス値を決定する工程と、
ハンドオフ境界の近くで運用中の複数の移動局によって取り込まれた複数の信号強度（ＳＳ）の測定値を収集する工程を備え、前記ＳＳ測定値が各移動局に対し、ハンドオフ前の現在のセルにサービスしている第１基地局のからの、移動局によって受信される信号の第１のＳＳ測定値とハンドオフの後で隣接セルにサービスする第２の基地局からの、移動局によって受信される信号の第２のＳＳ測定値とを含み、
更にハンドオフ境界の現在のセル側での平均ＳＳ（ＣＰ）を計算する工程と、
ハンドオフ境界の隣接セル側での平均ＳＳ（ＣＮ）を計算する工程と、
ＣＰとＣＮとの平均を計算することにより、現在のセルと隣接セルとの間の中間ポイントＳＳを計算する工程と、
中間ＳＳから誤差をまるめることに起因するファクタを減算することにより、ハンドオフ後のハンドオフ境界の現在のセル側での予想信号強度（ＥＰ）を計算する工程と、
中間ポイントＳＳに対し、誤差をまるめることに起因するファクタを加え、更にＭＳの出力パワーのステップサイズのファクタを加えることにより、ハンドオフの後でハンドオフ境界の隣接セル側での予想信号強度を計算する工程と、
ＥＰとＣＰとの差を現在の出ヒステリシス値から減算することにより、現在のセルから隣接セルへの出ハンドオフに対する推奨ヒステリシス値を計算する工程と、
ＥＰとＣＰとの差を現在の入ヒステリシス値から減算することにより、現在のセルから隣接セルへの入ハンドオフに対する推奨ヒステリシス値を計算する工程とを備えた、出ヒステリシス値を最適にする方法。
【発明の詳細な説明】
【技術分野】
【０００１】
（発明の背景）
（発明の技術分野）
本発明は通信システムに関し、より詳細にはセルラー無線（携帯電話）通信ネットワークで運用中の移動局を自動化にハンドオフするために使用されるヒステリシス値を最適にする方法に関するが、この方法だけに限定されるものではない。
【背景技術】
【０００２】
（関連技術の説明）
セルラー無線通信ネットワークでは移動局（ＭＳ）がその局にサービス中の基地局から離間するにつれ、ＭＳにおける受信信号強度が低下する一方、隣接セルからの受信信号強度が大きくなる。最終的に、隣接セルからの信号強度がサービス中のセルからの信号強度を超えたときにハンドオフが実行される。所定の状況では、ＭＳが２つ以上のセルの間で、好ましくないことに、かなり頻繁にハンドオフが切り替えられることがある。この現象はハンドオフの振動として知られており、セルラーネットワークにおいて多くの悪影響を及ぼす。まず第１に、ハンドオフごとに加入者は一時的なミューティング（無音状態）を経験し、このことが短期間で繰り返されると、この現象は音質に悪影響を及ぼす。第２に、通話をドロップする確率は累積的に高くなる。その理由は、各ハンドオフ中に通話をブロックする確率が高くなるからである。第３に、ハンドオフが繰り返されることはネットワークにおけるプロセッサの負荷を大きくする。
【０００３】
ハンドオフの振動の主な原因の１つは、ＭＳがサービス中のセルからの信号強度を得て、隣接セルを候補とする方法にある。隣接セルからの信号強度の測定ミスは所定のＭＳにおける設計上の欠陥により、同一チャンネルでの干渉を生じさせるセルの不良なプラニングまたは所定の領域における信号の不良伝搬によって生じ得る。一般に、受信される信号強度はＭＳがサービス中の基地局から離間するにつれ、対数−正規的に低下する。この対数−正規的低下に対して受信信号強度の変動が重ねられる。これら信号強度の変動はマルチパスの建設的および相殺的干渉（長期フェージング）およびレイリー（短期）フェージングによって生じ得る。
【０００４】
信号強度変動に起因し、ＭＳはサービス中の基地局および隣接する基地局からのＭＳの距離にしか比例しない信号強度をレポートしないことが多い。この変動によりＭＳの位置が定める信号強度およびサービス中のセル内の信号強度よりも隣接する基地局からの信号強度のほうが良好になることがある。この場合、誤った測定値に基づいてハンドオフが実行されることになる。これによってＭＳは新しいサービスセル内に置かれるが、ここで測定値は信号強度が前にサービスしていたセル内のほうがより良好であることを示す。従って、前にサービスしていたセルに戻る別のハンドオフが実行される。
【０００５】
ハンドオフの信号の問題に対するこれまでの解決案では、ハンドオフの振動レートを管理するために、自動化されたヒステリシス値が計算され、利用されている。このヒステリシス値はセル内のＭＳがレポートする受信信号強度の標準偏差、またはこのＭＳが受ける振動レートに基づき、特定のセルに対するヒステリシス値を計算できる。出ハンドオフを実行するには候補となる隣接セルからの受信信号強度がサービス中のセルの信号強度をヒステリシス値だけ超えなければならない。一旦ＭＳがハンドオフされると、ヒステリシス値の適用が反転され、ハンドオフバックを実行する前に、もともとサービスしていたセルからの信号強度は、新しくサービスしているセルの信号強度をヒステリシス値だけ超えていなければならない。ＭＳがもともとサービスしていたセルにハンドオフバックされる確率を小さくするために、通常のヒステリシス値にあるヒステリシスのマージンを加えることができる。
【発明の開示】
【発明が解決しようとする課題】
【０００６】
しかしながら、自動化されたヒステリシス値を決定し、設定すると、特定のセル内のどのＭＳにも影響が及ぶ。ヒステリシス値を最適にしない場合、ネットワークのハンドオフの性能に悪影響が及ぶ。深刻なハンドオフの振動の問題を受けるＭＳにとって、この妥協は受け入れできるものである。しかしながら、すべてのＭＳに対し、ハンドオフの振動は均一な影響が及ぶわけではない。このことは、アンバランスなハンドオフの境界および過剰な干渉を生じさせるので、ヒステリシス値の値をより高く設定しなければならず、セル内のすべてのＭＳに対するハンドオフの性能を更に劣化させる。
【０００７】
現在の解決案の欠点を克服するにはセルラーネットワークにおける自動化されたヒステリシス値を最適にする方法を提供することが好ましく、本発明はかかるシステムおよび方法を提供するものである。
【課題を解決するための手段】
【０００８】
（発明の概要）
一つの態様によれば、本発明は、セルラー通信ネットワークにおいて、現在のセルと隣接セルとの間のハンドオフ境界を最適にするための方法に関する。この方法は現在のセルから隣接セルへのハンドオフを実行する前の、現在のセルからの信号よりも強力な隣接セルからの信号を移動局（ＭＳ）が受信することを保証するのに使用される、現在のヒステリシス値を最適にするものである。ハンドオフ境界の近くで運用中の複数のＭＳから信号強度（ＳＳ）測定値のペアが収集され、各ＳＳ測定ペアはハンドオフ前の現在のセルからのＳＳ測定値とハンドオフ後の隣接セルからのＳＳ測定値とを含む。次に、現在のセルからの平均ＳＳ測定値と、隣接セルからの平均ＳＳ測定値と、現在のセルからの平均ＳＳ測定値および隣接セルからの平均ＳＳ測定値の全部の平均値とを決定することにより、中間ポイントＳＳを計算する。次にこの方法は、中間ポイントのＳＳと現在のセルからの平均値ＳＳ測定値との差にほぼ等しい値を、現在のヒステリシス値から減算することにより、ハンドオフ境界を最適にする。
【０００９】
別の態様によれば、本発明はセルラー通信ネットワークにおいてハンドオフ境界での現在のセルから隣接セルへのＭＳのハンドオフを制御するのに利用される出ヒステリシス値を最適にする方法に関する。この方法は現在の出ヒステリシス値を決定する工程と、ハンドオフ境界の近くで運用中の複数のＭＳが取り込む複数のＳＳ測定値を収集する工程とを含む。ＳＳ測定値は現在のセルにサービス中の第１基地局からの、移動局が受信した信号の第１ＳＳ測定値と、隣接セルにサービスする第２基地局からの移動局が受信する信号の第２ＳＳ測定値とを、各移動局に対して含む。次に、このＳＳ測定値はハンドオフ境界の現在のセル側での平均値ＳＳ（ＣＰ）と、ハンドオフ境界の隣接セル側での平均ＳＳ（ＣＮ）とを計算するのに利用される。次に、ＣＰとＣＮの平均値を計算することにより、現在のセルと隣接セルとの間の中間ポイントＳＳを計算する。次に、誤差を丸めることに起因するファクタを中間ポイントＳＳから減算することにより、ハンドオフ後のハンドオフ境界の現在のセル側での予想信号強度（ＥＰ）を計算する。最後に、ＥＰとＣＰとの差を現在の出ヒステリシス値から減算することにより、現在のセルから隣接セルへの出ハンドオフのための推奨ヒステリシス値を計算する。
【００１０】
更に別の態様によれば、本発明はセルラー通信ネットワークにおいてハンドオフ境界における隣接セルから現在のセルへの移動局のハンドオフを制御するために使用される入ヒステリシス値を最適にするための方法に関する。この方法は現在の入ヒステリシス値を決定する工程と、ハンドオフ境界の近くで運用中の複数のＭＳが取り込む複数のＭＳ測定値を収集する工程とを含む。このＳＳ測定値は現在のセルにサービスする第１基地局からの、移動局が受信する信号の第１のＳＳ測定値と、隣接セルにサービスする第２基地局からの、移動局が受信する信号の第２ＳＳ測定値とを各移動局に対して含む。次にこのＳＳ測定値はハンドオフ境界の現在のセル側での平均ＳＳ（ＣＰ）およびハンドオフ境界の隣接セル側での平均ＳＳ（ＣＮ）とを計算するのに使用される。次にＣＰとＣＮとの平均値を計算することにより、現在のセルと隣接セルとの間の中間ＳＳを計算する。次に、中間ＳＳに誤差を丸めたことに起因するファクタを加算し、ＭＳの出力パワーのステップサイズのファクタを加算することにより、ハンドオフ後のハンドオフ境界の隣接セル側の予想信号強度（ＥＮ）を計算する。最後に、ＥＮとＣＮとの差０００を現在の入ヒステリシス値から減算することにより、隣接セルから現在のセルへの入ハンドオフのための推奨ヒステリシス値を計算する。
【００１１】
添付した明細書と共に次の図面を参照することにより、当業者は本発明を更に良好に理解でき、多数の目的および利点がより明らかとなろう。
【実施例】
【００１２】
（実施例の詳細な説明）
本発明は、隣接セルとの間のハンドオフをいつ保証するかを決定するのに使用される信号強度ヒステリシス（ＳＳＨＹ）値を最適にすることにより、セルラー通信ネットワーク内のセルのためのハンドオフの境界を最適にするシステムおよび方法に関する。本明細書で使用する略語を次のように定義する。
【００１３】
ＳＳＨＹ：信号強度ヒステリシス
ＣＰ：ハンドオフ境界の現在のセル側でのハンドオフ前の現在の信号強度（ＳＳ）
ＣＮ：ハンドオフ境界の隣接セル側でのハンドオフ前の現在のＳＳ
ＳＳＨＹ＿ＣＨ：境界に対する出ハンドオフのための現在のＳＳＨＹ
ＳＳＨＹ＿ＲＨ：境界に対する出ハンドオフのための推奨ＳＳＨＹ
ＳＳＨＹ＿ＣＩ：境界に対する入ハンドオフに対する現在のＳＳＨＹ
ＳＳＨＹ＿ＲＩ：境界に対する入ハンドオフに対する推奨ＳＳＨＹ
ＥＰ：ハンドオフの境界の現在のセル側でのハンドオフ後の予想ＳＳ
ＥＮ：ハンドオフ境界の隣接セル側でのハンドオフ後の予想ＳＳ
ＷＳＳ：微弱信号強度を定める設定可能なスレッショルド−一般に約−１００ｄＢｍ
ＣＷＳＳ（％）：線におけるＳＳ＜ＷＳＳｄＢｍの現在のパーセント
ＥＷＳＳ（％）：線におけるＳＳ＜ＷＳＳｄＢｍの予想のパーセント
中間ポイントＳＳ：現在のセルと隣接セルとの間の信号強度が等しいポイント
【００１４】
図１Ａおよび１Ｂは所与のセルに対するヒステリシス値を最適にするための本発明の方法の好ましい実施例のステップを示すフローチャート部分である。この方法は、移動交換センター（ＭＳＣ）または基地局コントローラ（ＢＳＣ）を介し、セル内のすべてのＭＳから得られる信号強度の測定値を使用している。これら測定値に基づき、中間ポイントアルゴリズムは出ハンドオフおよび入ハンドオフに対する可能な最良のヒステリシス値を計算することによりハンドオフの境界を最適にする。この方法は、各セル内のトラヒックの負荷をバランスさせたり、または輻湊または干渉の結果として生じる低いハンドオフの有効性に起因するハンドオフを遅延させるために、計算されたヒステリシス値を変更することもできる。
【００１５】
この方法は、図１Ａのステップ１１でスタートし、ステップ１２へ進み、ここで現在のヒステリシス値が既に設定されていなければ、出ハンドオフおよび入ハンドオフに対し、セルに対するデフォルトヒステリシス値が特定される。ステップ１３において、ＭＳはハンドオフが開始される前に現在の（サービス中の）セルから受信された信号強度を測定し、ステップ１４においてＭＳハンドオフが完了した後のターゲット隣接セル（新しくサービスするセル）から受信された信号強度を測定する。この方法は、現在のセルと隣接セルのペアに対するＭＳの所定のスレッショルド数、またはセル内のすべてのＭＳから測定値が得られるまで繰り返される。統計学的には、これを行うには３０局以上のＭＳからの測定値を必要とし得るが、これより少ないＭＳからでも好ましい結果を得られる。したがって、ステップ１５では現在のセル／隣接セルのペアごとの十分な数のＭＳから測定値が得られたかどうかが判断される。測定値が得られなかった場合、プロセスはステップ１３に戻り、更なる測定値を得る。
【００１６】
しかしながら、十分な数のＭＳから測定値が得られた場合、プロセスはステップ１６に進み、ここで現在のセルと隣接セルの各ペアに対するハンドオフ前に現在のセル内で得られた信号強度測定値を平均化することによって、まずＣＰを計算する。ステップ１７においても、現在のセルと隣接セルの各ペアに対するハンドオフの後の隣接セル内でとられた信号強度測定値を平均化することにより、ＣＮを同じように計算する。ステップ１８では次の式を利用し、ｍｉｄｐｏｉｎｔ＿ＳＳ（現在のセルと隣接セルとの間の、信号強度が等しくなるポイント：中間ポイントＳＳ）を計算するのにＣＰおよびＣＮを使用する。
【００１７】
中間ポイントＳＳ＝（ＣＰ＋ＣＮ）／２
【００１８】
ステップ１９ではハンドオフ境界の現在のセル側での予想ＳＳ（ＥＰ）を次の式を用いて計算する。
【００１９】
ＥＰ＝中間ポイントＳＳ−γ
【００２０】
ここで、γは誤差をまるめるために考慮する調節ファクタである。
次に、ステップ２０において次の式を利用し、ハンドオフ境界の隣接セル側での予想ＳＳ（ＥＮ）を計算する。
【００２１】
ＥＮ＝中間ポイントＳＳ＋γ＋δ
【００２２】
ここで、δはＭＳ出力パワーのステップサイズ（一般に約４ｄＢ）である。現在のセルと隣接セルとの間の有効放射パワー（ＥＲＰ）を含ませるように、デジタルトラヒックのためにＥＮの計算の際の調節値を利用できる。
【００２３】
次にプロセスは図１Ｂのステップ２１へ進み、ここで次の式を利用することにより、出ハンドオフに対する現在のヒステリシス値（ＳＳＨＹ＿ＣＨ）を変更することにより、出ハンドオフに対する推奨ヒステリシス値（ＳＳＨＹ＿ＲＨ）を計算する。
【００２４】
ＳＳＨＹ＿ＲＨ＝ＳＳＨＹ＿ＣＨ−（ＥＰ−ＣＰ）
【００２５】
同様に、次の式を利用することにより、入ハンドオフに対する現在のヒステリシス値（ＳＳＨＹ＿ＣＩ）を変更することにより、入ハンドオフに対する推奨ヒステリシス値（ＳＳＨＹ＿ＲＩ）を計算する。
【００２６】
ＳＳＨＹ＿ＲＩ＝ＳＳＨＹ＿ＣＩ−（ＥＮ−ＣＮ）
【００２７】
ステップ２２において、推奨ヒステリシス値がデフォルトヒステリシス値以下であるかどうかを判断する。そうである場合、プロセスはステップ２３に進み、デフォルトヒステリシス値を利用する。推奨ヒステリシス値がデフォルトヒステリシス値より大であれば、プロセスはステップ２４へ進み、ここでハンドオフを試みる際に現在のセルに対する信号強度が微弱（例えば第１スレッショルド、例えばＷＳＳ＝−９９ｄＢｍ）であり、かつ隣接セルに対する信号強度が強力（例えば第２スレッショルド、例えば−９４ｄＢｍ）であるかが判断される。そうである場合、プロセスはステップ２５に進み、ここで、計算されたｍｉｄｐｏｉｎｔ＿ＳＳにしたがってヒステリシス値が調節される。そうでない場合、プロセスはステップ２６に進み、ここで測定された信号強度に基づき、ヒステリシス値が調節される。
【００２８】
ステップ２７において、推奨されたヒステリシス値を微調整すべきかどうかが判断される。そうである場合、ステップ１１に戻り、再び現在のセルと隣接セルとの各ペアに対するＭＳからの、またはセル内のすべてのＭＳからの追加信号強度データの利用を再び開始する。現在のセル内のＭＳからの最新のＳＳ測定値を利用する本プロセスのステップを繰り返すことによって、ヒステリシス値を周期的に更新してもよい。ヒステリシス値を微調節すべきでない場合、プロセスはステップ２８で終了する。
【００２９】
ヒステリシス最適化の例
下記の表１は最適ヒステリシス値を計算するのに使用される種々のファクタに対する値の表の一例である。
【００３０】
【表１】
2005529567.tif 000003
【００３１】
この表は、追加信号強度測定値を得ながら微調節できる「中間ポイントアルゴリズム」の１つの繰り返しを示す。ハンドオフの境界はヒステリシスによって調節された双方の基地局からの等しい平均パワーをＭＳが得たポイントに変更される。図示されるように、境界の片側での現在のセルの測定信号強度（ＣＰ）および境界の反対側での隣接セルの測定された信号強度（ＣＮ）は次のように示される。
ＣＰ＝−１０８ｄＢｍ
ＣＮ＝−９１ｄＢｍ
【００３２】
隣接セルに対する出ハンドオフのための現在のヒステリシス（ＳＳＨＹ＿ＣＨ）および隣接セルからの入ハンドオフのための現在のヒステリシス（ＳＳＨＹ＿ＣＩ）は次のとおりである。
ＳＳＨＹ＿ＣＨ＝３ｄＢ
ＳＳＨＹ＿ＣＩ＝３ｄＢ
【００３３】
中間ポイント（ＣＰ＋ＣＮ）／２は次のように示される。
Ｍｉｄｐｏｉｎｔ＿ＳＳ＝−１０１ｄＢｍ（最も近い整数にまるめられている）
【００３４】
次にハンドオフの境界の現在のセル側での予想信号強度は中間ポイントＳＳ−γとなる。誤差をまるめるための調節ファクタ（γ）＝１とした場合、
ＥＰ＝−１０１−１＝−１０２ｄＢｍとなる。
【００３５】
ハンドオフ境界の隣接セル側での予想信号強度（ＥＮ）は中間ポイントＳＳ＋γ＋δとなる。すなわち、
ＥＮ＝−１０１＋１＋４＝−９６ｄＢｍとなる。
【００３６】
信号強度の測定値に基づく出ハンドオフに対する推奨ヒステリシス（ＳＳＨＹ＿ＲＨ）は次のとおりである。
ＳＳＨＹ＿ＲＨ＝ＳＳＨＹ＿ＣＨ−（ＥＰ−ＣＰ）＝３−（−１０２＋１０８）
＝３−６
＝−３ｄＢ
【００３７】
信号強度の測定値に基づく入ハンドオフに対する推奨ヒステリシス（ＳＳＨＹ＿ＲＩ）は次のとおりである。
ＳＳＨＹ＿ＲＩ＝ＳＳＨＹ＿ＣＩ−（ＥＮ−ＣＮ）＝３−（−９６＋９１）
＝３＋５
＝８ｄＢ
【００３８】
したがって、出ハンドオフに対する現在のヒステリシス（ＳＳＨＹ＿ＣＨ）は３ｄＢである。他方、（現在のセルに対しては）−１０８ｄＢｍで更に（隣接セルに対しては）−９１ｄＢｍでハンドオフが生じる。境界に対する出ハンドオフのための推奨ヒステリシス（ＳＳＨＹ＿ＲＨ）は−２ｄＢである。他方、ハンドオフは５ｄＢ前で行わなければならないので、ハンドオフ前の予想信号強度を−１０３ｄＢｍとすべきである。
【００３９】
同じように、入ハンドオフに対しては現在のヒステリシス（ＳＳＨＹ＿ＣＩ）は３ｄＢであり、他方、境界に対する入ハンドオフに対する推奨ヒステリシス（ＳＳＨＹ＿ＲＩ）は５ｄＢ大きい（すなわち８ｄＢ）。この結果、ハンドオフ前の現在の信号強度（ＣＮ）を−９１ｄＢｍから−９６ｄＢｍに減少すべきである。この結果、受信された信号強度に基づき、ハンドオフの境界はより均一となる。
【００４０】
以上で、これまでの説明から本発明の作動および構造が明らかになったと信ずる。これまで説明し、図示した方法は好ましいものとして特徴付けたが、特許請求の範囲に記載の発明の範囲から逸脱することなく、種々の変形および変更を行うことができることは容易に明らかとなろう。
【図面の簡単な説明】
【００４１】
【図１Ａ】所与のセルに対するヒステリシス値を最適にするための、本発明の方法の好ましい実施例のステップを示すフローチャート部分である。
【図１Ｂ】所与のセルに対するヒステリシス値を最適にするための、本発明の方法の好ましい実施例のステップを示すフローチャート部分である。
【図１Ａ】
2005529567.tif 000004
【図１Ｂ】
2005529567.tif 000005
【国際調査報告】
2005529567.tif 000006
2005529567.tif 000007
2005529567.tif 000008